(57)【要約】【課題】操作者の手によって充電端子が汚れる可能性を低減できるハンディターミナルを提供する。【解決手段】筐体１１と、筐体１１に内蔵された二次電池と、二次電池に充電を行うための充電端子を含む端子部１５とを有し、筐体１１を片手で把持して使用するハンディターミナルであって、筐体１１は、前方面１１ｄｆおよび後方面１１ｄｒならびに左側面１１ｗｌおよび右側面１１ｗｒのうちの縦方向Ｈの下端から上方に向かって所定の範囲で延在し、操作時に操作者の把持する片手が接触し得る把持想定領域ＰＨを備え、端子部１５は、右側面１１ｗｒのうちの把持想定領域ＰＨ外に設けられているハンディターミナル。【選択図】図６
2018148686.tif 000002
【特許請求の範囲】
【請求項１】
略直方体状を呈し、縦方向、横方向および厚さ方向を有する筐体と、
前記筐体に内蔵された二次電池と、
前記筐体に設けられ、前記二次電池に充電を行うための充電端子と、を有し、
前記筐体を片手で把持して使用するハンディターミナルであって、
前記筐体は、
前記縦方向に対向する下側面および上側面と、
前記横方向に対向する左側面および右側面と、
前記厚さ方向に対向する前方面および後方面と、
前記左側面および前記右側面ならびに前記前方面および前記後方面のうちの前記縦方向の下端から上方に向かって所定の範囲で延在し、操作時に操作者の把持する片手が接触し得る把持想定領域と、を備え、
前記充電端子は、前記左側面または前記右側面のうちの前記把持想定領域外に設けられている、ハンディターミナル。
【請求項２】
前記把持想定領域内に、少なくともテンキーを含む固定キー部をさらに有する、請求項１に記載のハンディターミナル。
【請求項３】
板状を呈し、前記左側面または前記右側面に、ヒンジ部を介して接続され、前記縦方向に延びる中心軸を中心として回動可能なカバー部をさらに有し、
前記充電端子は、前記左側面または前記右側面のうちの前記カバー部が接続されている方に設けられている、請求項１または２に記載のハンディターミナル。
【請求項４】
前記筐体は、前記下側面または前記上側面に設けられ、ストラップを取り付けるためのストラップ取付部をさらに備えている、請求項１〜３のいずれか一項に記載のハンディターミナル。
【請求項５】
前記ストラップ取付部は、前記下側面または前記上側面のうちの前記横方向の中央領域に設けられている、請求項４に記載のハンディターミナル。
【請求項６】
前記固定キー部は、ハードウェアボタン、あるいは、ソフトウェアボタンによって構成される、請求項２〜５のいずれか一項に記載のハンディターミナル。
【請求項７】
請求項１〜６のいずれか一項に記載のハンディターミナルと、
台幅方向、台奥行方向および台高さ方向を有し、前記ハンディターミナルを載置し、該ハンディターミナルの前記二次電池に対して充電を行う充電台と、を有し、
前記充電台は、前記充電端子を下向きにしたハンディターミナルを載置するターミナル載置部を備え、
前記ターミナル載置部は、
載置した前記ハンディターミナルの前記左側面または前記右側面のうちの前記充電端子が設けられた方を臨む底面部と、
前記底面部から前記台高さ方向に突出し、載置した前記ハンディターミナルの前記台幅方向の位置を規定する第１の位置規制壁部と、
前記底面部から前記台高さ方向に突出し、載置した前記ハンディターミナルの前記台奥行方向の位置を規定する第２の位置規制壁部と、
前記底面部に設けられ、載置した前記ハンディターミナルの前記充電端子に電気的に接続する充電コンタクトピンと、を備えている、ハンディターミナル充電システム。
【請求項８】
前記ハンディターミナルが前記ストラップ取付部を備えている場合に、
前記充電台の前記第１の位置規制壁部および前記第２の位置規制壁部のうちの、少なくとも載置する前記ハンディターミナルの前記ストラップ取付部に隣接する方は、該ストラップ取付部の位置よりも前記台高さ方向における高さが低い、請求項７に記載のハンディターミナル充電システム。
【請求項９】
前記充電台の前記第１の位置規制壁部および前記第２の位置規制壁部のうちの載置した前記ハンディターミナルの前記前方面または前記後方面を臨む方は、該ハンディターミナルの前記把持想定領域に対応する位置に、切欠部を備えている、請求項７または８に記載のハンディターミナル充電システム。
【請求項１０】
前記充電台は、複数の前記ターミナル載置部を備え、該複数のターミナル載置部は、前記台幅方向または前記台奥行方向に並列している、請求項７〜９のいずれか一項に記載のハンディターミナル充電システム。
【発明の詳細な説明】
【技術分野】
【０００１】
本発明は、片手で把持して使用するハンディターミナル、および、ハンディターミナルへの充電を行う充電システムに関する。
【背景技術】
【０００２】
ＰＯＳ（Point Of Sale）システムの一種であって、レストラン等で使用されるオーダエントリシステムは、店員が顧客からの注文を入力するためのハンディターミナル（携帯端末）を備えている。
【０００３】
この種のハンディターミナルは、例えば、特許文献１に開示されている。特許文献１に開示されたハンディターミナルは、タッチパネル付きディスプレイを有する左扉体と、キーボードを有する右扉体とを有している。左扉体の下側面には、充電端子が設けられている。また、タッチパネル付きディスプレイの左扉体の底部に近い領域には、ソフトウェアボタンとしてのテンキー等が設けられている。店員（操作者）が顧客の注文を入力する時は、左扉体のテンキー等が設けられている領域付近を一方の手で把持し、他方の手で注文入力のための操作を行う。
【０００４】
図１０（ａ）および（ｂ）に、ハンディターミナルの他の例を示す。このハンディターミナル８０において、対の充電端子８５は、左扉体８１の下側面８１ｈｌの左右端部に設けられている。尚、図中、符号７０は、ストラップを示している。
【先行技術文献】
【特許文献】
【０００５】
【特許文献１】特開２００７−１４１１２０号公報
【発明の概要】
【発明が解決しようとする課題】
【０００６】
特許文献１に開示されたハンディターミナルは、充電台への脱着時や注文入力操作時に、操作者の手が左扉体の底部に設けられている充電端子に触れてしまうことがある。その結果、充電端子が汚れ、充電時に接触不良の原因となる虞がある。また、図１０（ａ）および（ｂ）に示されたハンディターミナル８０は、充電端子８５が、左扉体８１の下側面８１ｈｌの左右端部に設けられているため、充電端子８５に操作者の手が触れてしまう可能性が特許文献１に開示されたハンディターミナルよりもさらに高い。このため、充電端子８５が汚れ、充電時に接触不良の原因となる虞は、より大きくなる。
【０００７】
本発明の目的は、上記課題を解決するための技術を提供することにあり、操作者の手によって充電端子が汚れる可能性を低減できるハンディターミナルを提供することである。
【０００８】
本発明の他の目的は、上記のようなハンディターミナルへの充電を行うハンディターミナル充電システムを提供することである。
【課題を解決するための手段】
【０００９】
本発明によれば、略直方体状を呈し、縦方向、横方向および厚さ方向を有する筐体と、前記筐体に内蔵された二次電池と、前記筐体に設けられ、前記二次電池に充電を行うための充電端子と、を有し、前記筐体を片手で把持して使用するハンディターミナルであって、前記筐体は、前記縦方向に対向する下側面および上側面と、前記横方向に対向する左側面および右側面と、前記厚さ方向に対向する前方面および後方面と、前記左側面および前記右側面ならびに前記前方面および前記後方面のうちの前記縦方向の下端から上方に向かって所定の範囲で延在し、操作時に操作者の把持する片手が接触し得る把持想定領域と、を備え、前記充電端子は、前記左側面または前記右側面のうちの前記把持想定領域外に設けられている、ハンディターミナルが得られる。
【００１０】
本発明によればまた、前記ハンディターミナルと、台幅方向、台奥行方向および台高さ方向を有し、前記ハンディターミナルを載置し、該ハンディターミナルの前記二次電池に対して充電を行う充電台と、を有し、前記充電台は、前記左側面または前記右側面のうちの前記充電端子が設けられた方を下向きにしたハンディターミナルを載置するターミナル載置部を備え、前記ターミナル載置部は、載置した前記ハンディターミナルの前記左側面または前記右側面のうちの前記充電端子が設けられた方を臨む底面部と、前記底面部から前記台高さ方向に突出し、載置した前記ハンディターミナルの前記台幅方向の位置を規定する第１の位置規制壁部と、前記底面部から前記台高さ方向に突出し、載置した前記ハンディターミナルの前記台奥行方向の位置を規定する第２の位置規制壁部と、前記底面部に設けられ、載置した前記ハンディターミナルの前記充電端子に電気的に接続する充電コンタクトピンと、を備えている、ハンディターミナル充電システムが得られる。
【発明の効果】
【００１１】
本発明によるハンディターミナルは、操作者の手によって充電端子が汚れる可能性を低減できる。
【図面の簡単な説明】
【００１２】
【図１】（ａ）および（ｂ）は、本発明の第１の実施形態によるハンディターミナルの斜視図である。
【図２】（ａ）は、本発明の第１の実施形態によるハンディターミナルにおける端子部を示す部分的な斜視図であり、（ｂ）は、ストラップ取付部を示す部分的な斜視図である。
【図３】本発明の第１の実施形態によるハンディターミナルからカバー部を取り外して示した斜視図である。
【図４】（ａ）は、本発明の第１の実施形態によるハンディターミナルの正面図であり、（ｂ）は、ハンディターミナルの右側面図である。
【図５】本発明の第１の実施形態によるハンディターミナルをズボンや前掛けのポケットから取り出す作業を説明するための図である。
【図６】（ａ）および（ｂ）は、本発明の第１の実施形態によるハンディターミナルの使用状態を説明するための図である。
【図７】（ａ）は、本発明の第２の実施形態によるハンディターミナル充電システムにおける充電台の斜視図であり、（ｂ）は、充電台における端子部を示す斜視図である。
【図８】本発明の第２の実施形態によるハンディターミナル充電システムの斜視図である。
【図９】本発明の第３の実施形態によるハンディターミナルの斜視図である。
【図１０】（ａ）および（ｂ）は、本発明の関連技術によるハンディターミナルの斜視図である。
【発明を実施するための形態】
【００１３】
本発明の実施形態によるハンディターミナルは、筐体と、二次電池と、充電端子とを有し、筐体を片手で把持して使用するものである。
【００１４】
筐体は、略直方体状を呈し、縦方向、横方向および厚さ方向を有している。二次電池は、筐体に内蔵されている。充電端子は、筐体に設けられ、二次電池に充電を行うためのものである。
【００１５】
筐体は、縦方向に対向する下側面および上側面と、横方向に対向する左側面および右側面と、厚さ方向に対向する前方面および後方面と、把持想定領域とを備えている。
【００１６】
把持想定領域は、左側面および右側面ならびに前方面および後方面のうちの縦方向の下端から上方に向かって所定の範囲で延在し、操作時に操作者の把持する片手が接触し得る領域である。
【００１７】
充電端子は、左側面または右側面のうちの把持想定領域外に設けられている。
【００１８】
上記の構成により、本発明によるハンディターミナルは、充電端子に操作者の手が接触することがなく、したがって、操作者の手によって充電端子が汚れる可能性を低減できる。
【００１９】
以下、図面を参照して、本発明によるハンディターミナルのより具体的な実施形態を説明する。
【００２０】
［第１の実施形態］
図１〜図４を参照すると、本発明の第１の実施形態によるハンディターミナル１０は、ＰＯＳ（Point Of Sale）システムの一態様であるオーダエントリシステムにおいて、店員（操作者）が携帯し、顧客の注文を入力する携帯端末として用いられる。
【００２１】
ハンディターミナル１０は、筐体１１と、二次電池１２と、端子部１５とを有し、筐体１１を片手で把持して使用するものである。
【００２２】
筐体１１は、略直方体状を呈し、縦方向Ｈ、横方向Ｗおよび厚さ方向Ｄを有している。二次電池１２は、筐体１１に内蔵されている。
【００２３】
端子部１５は、図２（ａ）に示すように、並列した３個のランド状の充電端子１５ａと、３個のランド状の充電端子１５ａの両側に設けられたガイド凹部１５ｂとを有している。充電端子１５ａは、筐体１１に設けられ、後述する充電台により、二次電池１２に充電を行うためのものである。より詳しく云えば、充電端子１５ａの３端子のうち、２端子は充電用電圧（１２ＶとＧＮＤ）を供給するためのものであり、１端子は、ハンディターミナル１０の内部でハンディターミナル１０のＧＮＤと接続され、後述する充電台にハンディターミナル１０が載置されたことを検知するために用いられる。
【００２４】
筐体１１は、縦方向Ｈに対向する下側面１１ｈｌおよび上側面１１ｈｕと、横方向Ｗに対向する左側面１１ｗｌおよび右側面１１ｗｒと、厚さ方向Ｄに対向する前方面１１ｄｆおよび後方面１１ｄｒと、把持想定領域ＰＨとを備えている。
【００２５】
把持想定領域ＰＨは、左側面１１ｗｌおよび右側面１１ｗｒならびに前方面１１ｄｆおよび後方面１１ｄｒのうちの、縦方向Ｈの下端から上方に向かって所定の範囲で延在し、操作時に操作者の把持する片手が接触し得る領域である。尚、本例において、所定の範囲（所定の寸法）は、成人男女の平均的な掌の幅、特に、第２指（人差し指）から第５指（小指）までの幅を考慮したものとなっている。
【００２６】
充電端子１５ａを含む端子部１５は、右側面１１ｗｒのうちの、把持想定領域ＰＨ外に設けられている。
【００２７】
ハンディターミナル１０はまた、ユーザーインターフェースとして、固定キー部１３と、タッチパネル付きディスプレイ１４と、充電状態を知らせるためのＬＥＤ（Light Emitting Diode）１７とを有している。固定キー部１３は、電気接点または圧電素子を備えたハードウェアボタンであり、筐体１１の前方面１１ｄｆのうちの把持想定領域ＰＨ内に設けられている。固定キー部１３は、少なくともテンキーを含む。固定キー部１３は、タッチパネル付きディスプレイを用いたソフトウェアボタンであってもよい。尚、固定キーとは、操作開始から操作終了までキー表示の変わらないキーである。タッチパネル付きディスプレイ１４は、ソフトウェアボタンを表示することも可能であり、筐体１１の前方面１１ｄｆに設けられている。
【００２８】
ハンディターミナル１０はさらに、カバー部２１を有している。カバー部２１は、板状を呈し、右側面１１ｗｒに、ヒンジ部１６を介して接続され、縦方向Ｈに延びる中心軸を中心として回動可能である。カバー部２１は、内側表面２１ｉｓと外側表面２１ｏｓとを有している。カバー部２１の回動可能範囲は、内側表面２１ｉｓが筐体１１の前方面１１ｄｆに重なる全閉状態から１７０度開いた全開状態までの間となっている。図４（ａ）および（ｂ）は、カバー部２１を１７０度の角度で全開した状態を示している。
【００２９】
図４（ａ）に示すように、カバー部２１の内側表面２１ｉｓには、顧客の注文を入力する時に使用されるキーボード部２３を備えている。キーボード部２３には、メンブレンスイッチが用いられているが、タッチパネルを用いてもよい。尚、キーボード部２３上には、格子状の模様を印刷した透明なプラスチック板が取り付けられている（図３においては、図示を省略）。キーボード部２３と格子状の模様を印刷した透明なプラスチック板との間には、格子状の模様に合わせてメニュー等を印刷した紙を挿入可能である。
【００３０】
カバー部２１のキーボード部２３は、筐体１１に内蔵された図示しないハンディターミナルの制御部とフラットケーブルで電気的に接続されているが、図３においては、図示を省略している。
【００３１】
ヒンジ部１６は、図３に示すように、筐体１１側に形成され、縦方向Ｈに延びる孔を備えたヒンジ片１１６と、カバー部２１側に形成され、縦方向Ｈに延びる孔を備えたヒンジ片２１６と、ヒンジ片１１６の孔とヒンジ片２１６の孔とに亘って挿入されるシャフト１６２と、両孔に挿入されたシャフト１６２が抜けないようにヒンジ片２１６の孔に圧入されるシャフト押さえ１６３と、外観をよくするためのヒンジ隠し１６４と、前述した図示しないフラットケーブルを覆う接続ケーブルカバー１６５とを有している。
【００３２】
ハンディターミナル１０において、充電端子１５ａを含む端子部１５は、左側面１１ｗｌまたは右側面１１ｗｒのうちのカバー部２１が接続されている方、即ち、右側面１１ｗｒに設けられている。図４（ｂ）から明らかなように、カバー部２１を開いたときに、端子部１５の一部がカバー部２１によって隠される。したがって、ハンディターミナル１０の操作時に店員の手が充電端子１５ａに触れる恐れはない。
【００３３】
筐体１１は、下側面１１ｈｌに設けられ、ストラップ７０を取り付けるためのストラップ取付部１９を備えている。ストラップ取付部１９は、下側面１１ｈｌのうちの横方向Ｗの中央に設けられている。
【００３４】
図５は、ハンディターミナル１０を、図中破線で示す収容部から取り出すときの図である。この収容部とは、例えば、店員のズボンや前掛けのポケット等のことである。図６（ａ）は、操作時、ハンディターミナル１０の筐体１１を片手で把持している図であり、図６（ｂ）は、操作時、ハンディターミナル１０の筐体１１を片手で把持し、他方の手でカバー部２１も把持している図である。図６（ａ）が、操作時における主な把持の状態であり、図６（ｂ）は、両手で把持しているが、操作時における一時的な把持の状態である。
【００３５】
ハンディターミナル１０は、上述したサイズであるため、上着の胸ポケットには収容できず、店員の前掛けのポケットや、ズボンの後ろポケットに収容される。収容時は、すぐに注文入力の操作ができるように、図５に示す方向に収容される。点線はポケット等の収容部を示す。図５に示すように、ハンディターミナル１０を収容部から取り出すことになるが、端子部１５は、上部の右側面に設けられているため、店員の手が充電端子１５ａに触れる恐れはない。ストラップ７０を掴んでハンディターミナル１０を収容部から取り出す場合も、一方の手でストラップ７０を掴んで引き上げ、すぐに注文入力の操作ができるように、他方の手で、底部に近い側を把持するため、同様に、店員の手が充電端子１５ａに触れる恐れはない。
【００３６】
把持想定領域ＰＨ内には、少なくともテンキーを含む固定キー部１３が設けられている。固定キー部１３は、顧客の注文を入力する時に使用する頻度が高いキーであるため、操作直前や操作時に、店員は、固定キー部１３の裏側を支えるべく、筐体１１の把持想定領域ＰＨを片手で把持する。
【００３７】
このとき、端子部１５が、片手で把持する左側面１１ｗｌではない、右側面１１ｗｒのうちの把持想定領域ＰＨ外に設けられているため、店員のハンディターミナル１０を把持する手が端子部１５（充電端子１５ａ）に触れる恐れはない。さらに、図６（ａ）および（ｂ）に示すように、操作時は、カバー部２１が１７０度開かれており、カバー部２１が端子部１５と対向し、端子部１５の一部がカバー部２１によって隠れているため、店員のハンディターミナル１０を把持する手ではない他方の手が端子部１５（充電端子１５ａ）に触れる恐れもない。
【００３８】
第１の実施形態のハンディターミナル１０によれば、操作者の手によって充電端子１５ａが汚れる可能性を低減することができる。また、ハンディターミナル１０を後述する充電台に載置する際、ストラップ７０に関する余計な作業を行う必要がない。後者については、第２の実施形態で説明する。
【００３９】
［第２の実施形態］
以下、本発明の第２の実施形態として、第１の実施形態によるハンディターミナル１０の二次電池１２に対して充電を行うハンディターミナル充電システムについて、説明する。
【００４０】
図７（ａ）および（ｂ）ならびに図８をさらに参照すると、本実施形態によるハンディターミナル充電システムは、ハンディターミナル１０と、充電台６０とを有している。
【００４１】
充電台６０は、台幅方向Ｗ６０、台奥行方向Ｄ６０および台高さ方向Ｈ６０を有し、ハンディターミナル１０を載置し、ハンディターミナル１０の二次電池１２（図１（ｂ））に対して充電を行うものである。
【００４２】
充電台６０は、ＡＣアダプタや充電用回路（いずれも図示せず）を内蔵し、図７（ａ）に示すように、同時に最大５台のハンディターミナル１０を充電可能である。充電台６０は、同時に１台以上５台未満のハンディターミナル１０を充電するものであってもよいし、同時に６台以上を充電するものであってもよい。尚、図７（ａ）や図８において、ＡＣケーブルは図示していない。
【００４３】
充電台６０は、端子部１５（充電端子１５ａ）を下向きにしたハンディターミナル１０を載置するターミナル載置部６２を備えている。本例において、充電台６０は、台幅方向Ｗ６０に並列した５箇所のターミナル載置部６２を備えている。
【００４４】
ターミナル載置部６２はそれぞれ、底面部６２１と、第１の位置規制壁部６２２と、第２の位置規制壁部６２３と、コンタクト部６２４とを備えている。
【００４５】
底面部６２１は、載置したハンディターミナル１０の左側面１１ｗｌまたは右側面１１ｗｒのうちの端子部１５（充電端子１５ａ）が設けられた方（本例では、右側面１１ｗｒ）を臨む。第１の位置規制壁部６２２は、底面部６２１から台高さ方向Ｈ６０に突出し、載置したハンディターミナル１０の台幅方向Ｗ６０の位置を規定する。第２の位置規制壁部６２３は、底面部６２１から台高さ方向Ｈ６０に突出し、載置したハンディターミナル１０の台奥行方向Ｄ６０の位置を規定する。
【００４６】
載置した載置したハンディターミナル１０の前方面１１ｄｆまたは後方面１１ｄｒを臨む第１の位置規制壁部６２２のハンディターミナル１０の把持想定領域ＰＨに対応する位置には、切欠部６２５が形成されている。切欠部６２５は、充電台６０に載置したハンディターミナル１０を取り出す際に、操作者が把持想定領域ＰＨを摘まむように促すことにより、反対に、端子部１５（充電端子１５ａ）の付近を摘ままないように促すための形状である。
【００４７】
また、載置するハンディターミナル１０のストラップ取付部１９に隣接する第２の位置規制壁部６２３は、ストラップ取付部１９の位置よりも台高さ方向Ｈ６０における高さが低くなっている。
【００４８】
コンタクト部６２４は、底面部６２１に設けられ、図７（ｂ）に示すように、載置したハンディターミナル１０の３個の充電端子１５ａに電気的に接続する３本の充電コンタクトピン６２４ａと、３本の充電コンタクトピン６２４ａの両側に形成され、載置したハンディターミナル１０のガイド凹部１５ｂに挿入されるガイド突起部６２４ｂとを備えている。
【００４９】
尚、仮に、ハンディターミナル１０の端子部１５（充電端子１５ａ）が筐体１１の下側面１１ｈｌや上側面１１ｈｕに設けてあると、充電台６０に載置する際に、図１０（ｂ）に示す関連技術によるハンディターミナル８０のように、ストラップ７０を位置決めしなければならない。もしくは、ストラップ７０を手で保持しながら載置する等しなければならない。一方、本発明のハンディターミナル１０は、端子部１５が右側面１１ｗｒのうちの把持想定領域ＰＨ外に設けられているため、ハンディターミナル１０を載置する際には、下側面１１ｈｌに設けられたストラップ７０が充電台６０の載置部に入り込まないように注意するだけでよい。例えば、ハンディターミナル１０を横にし、ストラップ７０には触れることなく、台奥行方向Ｄ６０の前方から後方に向かって充電台６０に載置するようにすればよい。そのようにすることによって、図８に示すように、ストラップ７０は充電台の外部に垂れ下がる。充電台に載置する際に、ストラップ７０を位置決めする、または、手で保持する等の作業は不要である。尚、ストラップ７０は、ハンディターミナル１０の筐体１１の上側面１１ｈｕに設けられていてもよい。この場合は、ハンディターミナル１０を横にし、ストラップ７０には触れることなく、台奥行方向Ｄ６０の後方から前方に向かって充電台６０に載置するようにすればよい。
【００５０】
［第３の実施形態］
本発明の第３の実施形態によるハンディターミナルは、カバー部を有していない点が第１の実施形態のハンディターミナルと異なる。このため、第１の実施形態と同一部または同様部については、実施形態の図面や説明を援用し、図示や詳細な説明を省略する。
【００５１】
図９を参照すると、本発明の第３の実施形態によるハンディターミナル３０は、カバー部を有していない。カバー部を有していない点を除いて、他は、第１の実施形態のハンディターミナル１０と同じである。
【００５２】
即ち、ハンディターミナル３０は、筐体３１と、図示しない二次電池と、端子部３５とを有し、筐体３１を片手で把持して使用するものである。筐体３１は、略直方体状を呈し、縦方向Ｈ、横方向Ｗおよび厚さ方向Ｄを有している。二次電池は、筐体３１に内蔵されている。また、ハンディターミナル３０は、少なくともテンキーを含む固定キー部３３と、タッチパネル付きディスプレイ３４とを有している。
【００５３】
端子部３５は、並列した３個のランド状の充電端子と、３個のランド状の充電端子の両側に設けられたガイド凹部とを有している。充電端子は、筐体３１に設けられ、第２の実施形態で説明したような充電台により、二次電池に充電を行うためのものである。
【００５４】
筐体３１は、縦方向Ｈに対向する下側面３１ｈｌおよび上側面３１ｈｕと、横方向Ｗに対向する左側面３１ｗｌおよび右側面３１ｗｒと、厚さ方向Ｄに対向する前方面３１ｄｆおよび後方面３１ｄｒと、把持想定領域ＰＨとを備えている。
【００５５】
把持想定領域ＰＨは、左側面３１ｗｌおよび右側面３１ｗｒならびに前方面３１ｄｆおよび後方面３１ｄｒのうちの、縦方向Ｈの下端から上方に向かって所定の範囲で延在し、操作時に操作者の把持する片手が接触し得る領域である。尚、本例においても、第１の実施形態と同様に、所定の範囲（所定の寸法）は、成人男女の平均的な掌の幅、特に、第２指（人差し指）から第５指（小指）までの幅を考慮したものとなっている。
【００５６】
充電端子を含む端子部３５は、片手で把持する左側面３１ｗｌではない、右側面３１ｗｒのうちの、把持想定領域ＰＨ外に設けられている。
【００５７】
第３の実施形態のハンディターミナル３０によれば、操作者の手によって充電端子が汚れる可能性を低減することができる。また、ハンディターミナル３０を第２の実施形態で説明したような充電台に載置する際、ストラップ７０に関する余計な作業を行う必要がない。
【００５８】
尚、上述の第１の実施形態や第３の実施形態では、充電端子を含む端子部を、右側面に設けていたが、どちらの実施形態においても、左側面に設けてもよい。
【００５９】
また、上述の第１の実施形態や第３の実施形態では、ハンディターミナルがストラップを有するものとしたが、どちらの実施形態においても、ストラップを有さなくともよい。上述の第１の実施形態や第３の実施形態では、ハンディターミナルがストラップを有するものとしたが、どちらの実施形態においても、ストラップを有さなくともよい。
【符号の説明】
【００６０】
１０、３０      ハンディターミナル
１１      筐体
１１ｈｌ、３１ｈｌ  下側面
１１ｈｕ、３１ｈｕ  上側面
１１ｗｌ、３１ｗｌ  左側面
１１ｗｒ、３１ｗｒ  右側面
１１ｄｆ、３１ｄｆ  前方面
１１ｄｒ、３１ｄｒ  後方面
１１６    ヒンジ片
１３      固定キー部
１４      タッチパネル付きディスプレイ
１５      端子部
１５ａ    充電端子
１５ｂ    ガイド凹部
１６      ヒンジ部
１６２    シャフト
１６３    シャフト押さえ
１６４    ヒンジ隠し
１６５    接続ケーブルカバー
１７      ＬＥＤ
１９      ストラップ取付部
２１      カバー部
２１６    ヒンジ片
２１ｉｓ  内側表面
２１ｏｓ  外側表面
２３      キーボード部
６０      充電台
６２      ターミナル載置部
６２１    底面部
６２２    第１の位置規制壁部
６２３    第２の位置規制壁部
６２４    コンタクト部
６２４ａ  充電コンタクトピン
６２４ｂ  ガイド突起部
６２５    切欠部
７０      ストラップ
ＰＨ      把持想定領域
【図１】
2018148686.tif 000003
【図２】
2018148686.tif 000004
【図３】
2018148686.tif 000005
【図４】
2018148686.tif 000006
【図５】
2018148686.tif 000007
【図６】
2018148686.tif 000008
【図７】
2018148686.tif 000009
【図８】
2018148686.tif 000010
【図９】
2018148686.tif 000011
【図１０】
2018148686.tif 000012
【手続補正書】
【提出日】平成30年6月20日(2018.6.20)
【手続補正１】
【補正対象書類名】特許請求の範囲
【補正対象項目名】全文
【補正方法】変更
【補正の内容】
【特許請求の範囲】
【請求項１】
略直方体状を呈し、縦方向、横方向および厚さ方向を有する筐体と、
前記筐体に内蔵された二次電池と、
前記筐体に設けられ、前記二次電池に充電を行うための充電端子と、を有し、
前記筐体を片手で把持して使用するハンディターミナルであって、
前記筐体は、
前記縦方向に対向する下側面および上側面と、
前記横方向に対向する左側面および右側面と、
前記厚さ方向に対向する前方面および後方面と、
前記左側面および前記右側面ならびに前記前方面および前記後方面のうちの前記縦方向の下端から上方に向かって所定の範囲で延在し、操作時に操作者の把持する片手が接触し得る把持想定領域と、を備え、
板状を呈し、前記左側面または前記右側面に、ヒンジ部を介して接続され、前記縦方向に延びる中心軸を中心として回動可能なカバー部をさらに有し、
前記充電端子は、前記左側面または前記右側面のうちの前記把持想定領域外、かつ、前記カバー部が接続されている方に設けられている、ハンディターミナル。
【請求項２】
前記筐体は、前記下側面または前記上側面に設けられ、ストラップを取り付けるためのストラップ取付部をさらに備えている、請求項１に記載のハンディターミナル。
【請求項３】
前記ストラップ取付部は、前記下側面または前記上側面のうちの前記横方向の中央領域に設けられている、請求項２に記載のハンディターミナル。
【請求項４】
前記把持想定領域内に、少なくともテンキーを含む固定キー部をさらに有する、請求項１〜３のいずれか一項に記載のハンディターミナル。
【請求項５】
前記固定キー部は、ハードウェアボタン、あるいは、ソフトウェアボタンによって構成される、請求項４に記載のハンディターミナル。
【請求項６】
請求項１、４および５のいずれか一項に記載のハンディターミナルと、
台幅方向、台奥行方向および台高さ方向を有し、前記ハンディターミナルを載置し、該ハンディターミナルの前記二次電池に対して充電を行う充電台と、を有し、
前記充電台は、前記充電端子を下向きにしたハンディターミナルを載置するターミナル載置部を備え、
前記ターミナル載置部は、
載置した前記ハンディターミナルの前記左側面または前記右側面のうちの前記充電端子が設けられた方を臨む底面部と、
前記底面部から前記台高さ方向に突出し、載置した前記ハンディターミナルの前記台幅方向の位置を規定する第１の位置規制壁部と、
前記底面部から前記台高さ方向に突出し、載置した前記ハンディターミナルの前記台奥行方向の位置を規定する第２の位置規制壁部と、
前記底面部に設けられ、載置した前記ハンディターミナルの前記充電端子に電気的に接続する充電コンタクトピンと、を備えている、ハンディターミナル充電システム。
【請求項７】
請求項２または３に記載のハンディターミナルと、
台幅方向、台奥行方向および台高さ方向を有し、前記ハンディターミナルを載置し、該ハンディターミナルの前記二次電池に対して充電を行う充電台と、を有し、
前記充電台は、前記充電端子を下向きにしたハンディターミナルを載置するターミナル載置部を備え、
前記ターミナル載置部は、
載置した前記ハンディターミナルの前記左側面または前記右側面のうちの前記充電端子が設けられた方を臨む底面部と、
前記底面部から前記台高さ方向に突出し、載置した前記ハンディターミナルの前記台幅方向の位置を規定する第１の位置規制壁部と、
前記底面部から前記台高さ方向に突出し、載置した前記ハンディターミナルの前記台奥行方向の位置を規定する第２の位置規制壁部と、
前記底面部に設けられ、載置した前記ハンディターミナルの前記充電端子に電気的に接続する充電コンタクトピンと、を備え、
前記充電台の前記第１の位置規制壁部および前記第２の位置規制壁部のうちの、少なくとも載置する前記ハンディターミナルの前記ストラップ取付部に隣接する方は、該ストラップ取付部の位置よりも前記台高さ方向における高さが低い、ハンディターミナル充電システム。
【請求項８】
前記充電台の前記第１の位置規制壁部および前記第２の位置規制壁部のうちの載置した前記ハンディターミナルの前記前方面または前記後方面を臨む方は、該ハンディターミナルの前記把持想定領域に対応する位置に、切欠部を備えている、請求項６または７に記載のハンディターミナル充電システム。
【請求項９】
前記充電台は、複数の前記ターミナル載置部を備え、該複数のターミナル載置部は、前記台幅方向または前記台奥行方向に並列している、請求項６〜８のいずれか一項に記載のハンディターミナル充電システム。